(57)【要約】【課題】丹田の強化に直接作用するベルトであって、着用者の体形に合わせて装着位置（上前腸骨棘と第５腰椎とを結ぶ線分から助骨までの領域を完全に覆う位置）及び装着角度（上前腸骨棘と第５腰椎とを結ぶ線分の角度）を容易に調節することができ、全体的な締付力の微調整が可能であると共に清潔な状態を簡便に維持することができる丹田強化用ベルトの背当部を提供する。【解決手段】樹脂製の本体部の内面に２つの背当パットを有し、本体部の外面に２つのガイド部を有し、ガイド部と背当パットが本体部を介して対向する位置に設けられ、ガイド部が貫通孔を有する凸部であること、を特徴とする丹田強化ベルト用背当部。【選択図】図１
2018083013.tif 000002
【特許請求の範囲】
【請求項１】
樹脂製の本体部の内面に２つの背当パットを有し、
前記本体部の外面に２つのガイド部を有し、
前記ガイド部と前記背当パットが前記本体部を介して対向する位置に設けられ、
前記ガイド部が貫通孔を有する凸部であること、
を特徴とする丹田強化ベルト用背当部。
【請求項２】
前記貫通孔が略矩形であり、
前記貫通孔の短辺及び長辺がそれぞれ３〜１０ｍｍ及び６５〜１００ｍｍであること、
を特徴とする請求項１に記載の丹田強化ベルト用背当部。
【請求項３】
前記本体部が略矩形であり、
前記本体部の短辺及び長辺がそれぞれ７０〜９０ｍｍ及び１４０〜１８０ｍｍであること、
を特徴とする請求項１又は２に記載の丹田強化ベルト用背当部。
【請求項４】
前記本体部がポリプロピレン製であること、
を特徴とする請求項１〜３のうちのいずれかに記載の丹田強化ベルト用背当部。
【発明の詳細な説明】
【技術分野】
【０００１】
本発明は丹田を強化するために用いる丹田強化用ベルトの背当部に関する。
【背景技術】
【０００２】
丹田は腹筋の奥に存在し、当該領域を意識して腹圧を高めることで、腰椎の安定化や大腰筋及び小腰筋等を強化できることが知られている。丹田を意識した腹圧の増加によって椎間板がストレッチされ、当該ストレッチ効果によって腰椎間隔が適正となり、極めて効果的に腰痛が解消されると共に、腹部の弛みや猫背が改善されるだけでなく、運動機能も回復又は向上する。
【０００３】
しかしながら、丹田を意識して腹圧を高めることは一般的に困難であり、丹田強化は一般的なトレーニング手法として広まっていないのが現状である。
【０００４】
これに対し、例えば、特許文献１（特開２００９−２４７６６１号公報）では、臍下丹田位置に一定時間毎にＰＩＣ等マイコンとオシレータで自動リピートタイマーとバイブレーションモーターで作った振動信号を発生し、そのとき毎に各人工夫の動作を行うための臍下丹田強化システムバンド、が開示されている。
【０００５】
上記特許文献１に記載の臍下丹田強化システムバンドにおいては、自動リピートバイブレーション信号により臍下丹田を意識することで大腰筋及び腸腰筋が強くなり、排泄がスムーズになることに加え、腹式呼吸を多くすることで精神的に安定する、としている。
【０００６】
また、特許文献２（特開２０１３−９４３３６号公報）では、着用者の安静立位の体幹側面視における上前腸骨棘と第５腰椎とを結ぶ線分に沿って、当該着用者の腰部を包囲する本体部と、前記本体部における前記着用者の左右の上前腸骨棘間に対応する部分に配設される袋状の収納部と、前記収納部に収納され、気体を注入して体積を増加させる膨張部と、を備え、前記膨張部が前記着用者の第５腰椎に向けて、当該着用者の腹腔を押圧することを特徴とするサポーター、が開示されている。
【０００７】
前記特許文献２に記載のサポーターにおいては、着用者の腹部を前方から後上方に押圧して、前腹部に位置する腹直筋に反発力を働かせ、腹直筋に繋がる腹部のインナーマッスルに収縮力を働かせて、着用者の要部のインナーマッスルを鍛錬することができ、着用者の腰痛の予防を図ると共に、着用者の腰椎の安定性を向上させ、腰痛を持つ着用者への除痛効果を得ることができる、としている。
【先行技術文献】
【特許文献】
【０００８】
【特許文献１】特開２００９−２４７６６１号公報
【特許文献２】特開２０１３−９４３３６号公報
【発明の概要】
【発明が解決しようとする課題】
【０００９】
しかしながら、上記特許文献１に開示されている臍下丹田強化システムバンドは定期的に丹田を意識するためのものであり、丹田の強化に直接作用するものではない。
【００１０】
これに対し、上記特許文献２に開示されているサポーターは腹直筋に反発力を働かせ、腹部のインナーマッスルを鍛えることができる。当該サポーターは、着用者の安静立位の体幹側面視における上前腸骨棘と第５腰椎とを結ぶ線分に沿って、当該着用者の腰部を包囲する本体部を有しているが、上前腸骨棘と第５腰椎とを結ぶ線分の角度や当該線分から助骨までの距離には個人差がある。効率的に丹田を強化するためには上前腸骨棘と第５腰椎とを結ぶ線分から助骨までの領域を包囲することが求められるが、上記特許文献２に開示されているサポーターでは当該要求を満たすことができない。
【００１１】
加えて、上記特許文献２に開示されているサポーターは柔軟性に欠けるため、装着した状態で種々の運動を行うことが困難であり、全体的な締付力の微調整を行うこともできない。また、トレーニング等によって汚れた場合、簡便に洗濯等を行うことができず、清潔な状態を維持することが困難である。
【００１２】
以上のような従来技術における問題点に鑑み、本発明の目的は、丹田の強化に直接作用するベルトであって、着用者の体形に合わせて装着位置（上前腸骨棘と第５腰椎とを結ぶ線分から助骨までの領域を完全に覆う位置）及び装着角度（上前腸骨棘と第５腰椎とを結ぶ線分の角度）を容易に調節することができ、全体的な締付力の微調整が可能であると共に清潔な
状態を簡便に維持することができる丹田強化ベルトに用いる背当部を提供することにある。
【課題を解決するための手段】
【００１３】
本発明者は上記目的を達成すべく、丹田強化ベルトの背当部の構造等について鋭意研究を重ねた結果、帯状体を挿入するガイド部と背中に当接させる背当パット等を設けること等が極めて有効であることを見出し、本発明に到達した。
【００１４】
即ち、本発明は、
樹脂製の本体部の内面に２つの背当パットを有し、
前記本体部の外面に２つのガイド部を有し、
前記ガイド部と前記背当パットが前記本体部を介して対向する位置に設けられ、
前記ガイド部が貫通孔を有する凸部であること、
を特徴とする丹田強化ベルト用背当部を提供する。
【００１５】
丹田強化用ベルトにおいては、帯状体で上前腸骨棘と第５腰椎とを結ぶ線分から助骨までの領域を略完全に包囲することが重要であるが、本発明の丹田強化ベルト用背当部を用いることで、帯状体の装着角度及び装着幅等を任意に設定することができる。
【００１６】
具体的には、丹田強化用ベルトにおいては、背当部及びバックル部の位置により、帯状体で被覆する腹部の領域及び帯部の装着角度を調整することができる（背当部とバックル部との位置を相対的に上下させることで、帯部を傾斜させることができる）。つまり、本発明の背当部は背中に対して密着する支持部材として作用するだけでなく、帯部を傾斜させるための機能を有している。
【００１７】
また、本体部の内面に２つの背当パットを有することで、背当部と背中との密着性をより向上させることができることに加え、背当部の位置変動を抑制することができる。なお、装着時において、当該背当パットは背骨の両側に位置することが好ましく、材質としてはウレタン、天然ゴム及び合成ゴム等を用いることが好ましい。
【００１８】
また、本体部を介して背当パットと対向する位置に設置された２つのガイド部に挿入した帯状体を締め付けることで、効果的に背当パットを背中に当接させることができる。
【００１９】
また、本発明の丹田強化ベルト用背当部においては、前記貫通孔が略矩形であり、前記貫通孔の短辺及び長辺がそれぞれ３〜１０ｍｍ及び６５〜１００ｍｍであること、が好ましい。貫通孔の短辺を３ｍｍ以上とすることで一般的な棉素材の帯状体を二重にして挿入することができ、１０ｍｍ以下とすることで凸部の形成による運動への阻害を最小限に留めることができる。また、長辺を６５〜１００ｍｍとすることで、小柄な子供及び女性から大柄な男性までに適当な幅の帯状体を挿入することができる。
【００２０】
また、本発明の丹田強化ベルト用背当部においては、前記本体部が略矩形であり、前記本体部の短辺及び長辺がそれぞれ７０〜９０ｍｍ及び１４０〜１８０ｍｍであること、が好ましい。本体部の短辺及び長辺の長さをこれらの範囲とすることで、サポート性を担保しつつ運動への障害を最小限に留めることができる。
【００２１】
更に、本発明の丹田強化ベルト用背当部においては、前記本体部がポリプロピレン製であること、が好ましい。本体部をポリプロピレン製とすることで、背当部に適度な柔軟性を付与することができ、帯状部を締め付けた際に、着用者の背中の形状に応じて背当部を変形させることができる。当該変形は背中及び腹部に対する丹田強化用ベルトの密着性を向上させることから、より効率的に丹田を意識して腹圧を高めることができる。加えて、本体部をポリプロピレン製とすることで安価に製造することができ、射出成形等を用いることで大量生産にも容易に対応することができる。
【発明の効果】
【００２２】
本発明によれば、丹田の強化に直接作用するベルトであって、着用者の体形に合わせて装着位置（上前腸骨棘と第５腰椎とを結ぶ線分から助骨までの領域を完全に覆う位置）及び装着角度（上前腸骨棘と第５腰椎とを結ぶ線分の角度）を容易に調節することができ、全体的な締付力の微調整が可能であると共に清潔な状態を簡便に維持することができる丹田強化用ベルト用の背当部を提供することができる。
【図面の簡単な説明】
【００２３】
【図１】本実施形態の丹田強化ベルト用背当部１の構成を示す概略図である。
【図２】本実施形態の丹田強化ベルト用背当部１の正面図である。
【図３】本実施形態の丹田強化ベルト用背当部１の裏面図である。
【図４】本実施形態の丹田強化ベルト用背当部１の側面図である。
【図５】本実施形態の丹田強化ベルト用背当部１の使用に適した帯状体２１の平面図である。
【図６】丹田強化ベルトの装着手順を示す図であって、図６（ａ）は、本実施形態の丹田強化ベルト用背当部１と帯状態２１とを連結する状態を示す模式図であり、図６（ｂ）は、本実施形態の丹田強化ベルト用背当部１を背中に当接し、帯状態２１を腰部及び腹部に包囲する状態を示す模式図である。
【図７】帯状態２１とバックル部２３とを連結して締め付ける手順を示す図であって、図７（ａ）は、締め付けの前半手順を示す模式図であり、図７（ｂ）は、締め付けの後半手順を示す模式図である。
【図８】丹田強化ベルトによる加圧受けた体幹側面視を示す断面図である。
【図９】丹田強化ベルトによる加圧に反発した体幹側面視を示す断面図である。
【発明を実施するための形態】
【００２４】
以下、図面を参照しながら本発明の丹田強化用ベルトの代表的な実施形態について詳細に説明するが、本発明はこれらのみに限定されるものではない。なお、以下の説明では、同一または相当部分には同一符号を付し、重複する説明は省略する場合がある。また、図面は、本発明を概念的に説明するためのものであるから、表された各構成要素の寸法やそれらの比は実際のものとは異なる場合もある。
【００２５】
１．丹田強化ベルト用背当部１
＜丹田強化ベルト用背当部１の構成＞
図１を用いて本実施形態の丹田強化ベルト用背当部１の構成について説明する。図１は本実施形態の丹田強化ベルト用背当部１の構成を示す概略図である。
図１に示す様に、本実施形態の丹田強化ベルト用背当部１は、概ね腰部及び腹部を包囲するための帯状体２１（後述にて説明する）を挿通する２つのガイド部３と該ガイド部３を支持する２つのベース部５と該２つのベース部５を繋ぐ撓み部７とを具備した本体部１００と、裏面側で着用者の背中に当接される背当パッド９と、から構成されている。
【００２６】
更に、図２〜図４を用いて本実施形態の丹田強化ベルト用背当部１の詳細を説明する。図２は、本実施形態の丹田強化ベルト用背当部１の正面図であって、図３は、本実施形態の丹田強化ベルト用背当部１の裏面図であって、図４は、本実施形態の丹田強化ベルト用背当部１側面図である。
本体部１００は、射出成型法等を用いて一体的に形成されたポリプロピレン製の部品であり、長手方向Ｌ１と、短手方向Ｌ２と、を有した略矩形の板状部材である。また、当該本体部１００は、長手方向Ｌ１の中心で左右対称に構成されている。本体部１００の短辺Ｈ１は、７０〜９０ｍｍの寸法とすることが好ましく、また、長辺Ｗ１は、１４０〜１８０ｍｍの寸法とすることが好ましい。本体部１００の短辺Ｈ１及び長辺Ｗ１の寸法をこれらの範囲とすることで、サポート性を担保しつつ運動への障害を最小限に留めることができる。
【００２７】
本体部１００の芯材となる２つのベース部材５が所定の間隔で長手方向Ｌ１に離間して配設され、当該２つのベース部材５を撓み部７が繋いでいる。該撓み部７は、ベース部材５と比して板厚が薄く、適度な柔軟性を有するため、撓み部７を基点として本体部１００が所定の範囲で屈曲することが可能となる。
【００２８】
更に、それぞれのベース部材５の上方には、短手方向Ｌ２に開口し、長手方向Ｌ１に貫通した貫通孔１１を有するガイド部３が隆起しており、当該ガイド部３の貫通孔１１に帯状体２１を挿通することができる。上述したとおり、本体部１００は、長手方向Ｌ１の中心で左右対称の構成を成していることから、２つのガイド部３は所定の間隔で離間している。
【００２９】
それぞれのガイド部３が備える貫通孔１９に帯状体２１を挿通することにより、帯状体２１と、本実施形態の丹田強化ベルト用背当部１と、がより安定して連結することができる。なお、貫通孔１１は二重にした帯状体２１を該貫通孔１１に挿通可能であることが好ましく、二重にした帯状体２１を用いることで、腹部に対する締付力をより安定させることができると共に、より強い締付力を印加することができる。
【００３０】
貫通孔１１は、略矩形であり、当該貫通孔１１の短辺Ｈ２は、３〜１０ｍｍの寸法とすることが好ましく、また、長辺Ｗ２は、６５〜１００ｍｍの寸法とすることが好ましい。貫通孔の短辺Ｈ２を３ｍｍ以上とすることで一般的な棉素材の帯状体２１を二重にして挿通することができ、１０ｍｍ以下とすることで凸部の形成による運動への阻害を最小限に留めることができる。また、長辺Ｗ２を６５〜１００ｍｍとすることで、小柄な子供及び女性から大柄な男性までに適当な幅の帯状体２１を挿入することができる。
【００３１】
本体部１００の内側（裏面側）には、ウレタン、天然ゴム又は合成ゴム等で構成された略矩形の背当パット９が２つ配設されている。当該背当パット９は、２つのベース部材５の裏面にそれぞれ配置され、着用者の背中に当接することで適度なクッション性を提供しつつ、密着性をより向上させることができるものである。また、上述した素材で構成されていることから、本実施形態の丹田強化ベルト用背当部１を装着した際、本丹田強化ベルト用背当部１と、背中と、の間に摩擦力が発生し、不本意な位置変動を抑制することができる。
【００３２】
２．丹田強化ベルト用背当部１の使用方法
＜帯状体２１＞
本実施形態の丹田強化ベルト用背当部１は、バックル部２３を備えた帯状体２１と連結することで丹田強化ベルトを構成し、トレーニングに使用するものである。本丹田強化ベルト用背当部１の使用に適した帯状体２１について、図５を示し説明する。図５は、本実施形態の丹田強化ベルト用背当部１の使用に適した帯状体２１の平面図である。
図５に示す様に、本実実施形態で用いる帯状体２１は、略直線に構成された長尺の生地であって、単層又は複層に構成されている。また、当該帯状体２１は、適度な伸縮性と、腹部を締め付けるための十分な強度と、を備えるため、綿素材を用いることが好ましい。これにより、一般的なトレーニング用のベルトに用いられている革やナイロン等と異なり、簡便に水性洗浄することができ、清潔な状態を維持することが極めて容易である。
【００３３】
帯状体２１の一方の端部は、例えば所定の長さを折り返して環を形成しつつ縫着し、当該環にリング状のバックル部２３を連結している。また、他方の端部には帯状体２１の端部を補強するための端部補強具２５が取り付けられており、容易に当該帯状体２１の端部をガイド部３及びバックル部２３に挿通させることができる。なお、端部補強具２５は、例えば所定の長さ及び幅の金属板を折り合わせ、内部に帯状体２１の端部を挟み込んで構成することができる。また、当該端部補強具２５は、耐蝕性を有する金属で形成することが好ましい。
【００３４】
帯状体２１の形状及びサイズは特に限定されず、着用者の腹部（上前腸骨棘と第５腰椎とを結ぶ線分から助骨までの領域）を略完全に包囲することができればよい。
【００３５】
また、帯状体２１の厚さについても特に限定されず、腹部を締め付けるために十分な強度を担保できる程度において、バックル部２３のガイド部３に帯状体２１を挿入できる厚さとすればよい。なお、帯状体２１は棉素材のみを用いて形成してもよいが、帯状体２１の幅方向又は長手方向に適宜芯材を入れた補強や、着用者に当接する最内面にゴム等を貼り付けて滑り止め効果を付与してもよい。
【００３６】
＜バックル部２３＞
締付力の微調整及び構造の簡略化等の観点において、本実施形態で用いるバックル部２３は、少なくとも第一円環部２３Ａと、第二円環部２３Ｂと、の２つの円環部から構成されることが好ましく、上述した様に帯状体２１の端部に連結される。第一円環部２３Ａ及び第二円環部２３Ｂは、双方が略同一の形状を成しており、具体的には、所定の厚さ（締め付け時に変形等が発生しない厚さ）で構成され、外径及び内径の縁部にエッジが存在しないことが望ましい。
なお、バックル部２３は、帯状体２１との連結を任意に解除して分離を可能とすることが望ましい。バックル部２３と帯状体２１とを任意に分離可能とすることで、バックル部２３及び帯状体２１のメンテナンスが容易となり、バックル部２３の清掃や帯状体２１の洗濯等を簡便に行うことができる。
【００３７】
バックル部２３を用いた帯状体２１の固定は、当該帯状体２１を第一円環部２３Ａ及び第二円環部２３Ｂに挿通し、当該第一円環部２３Ａ及び第二円環部２３Ｂと、帯状体２１と、に摩擦力を発生させることで行うが、第一円環部２３Ａ及び第二円環部２３Ｂにエッジが存在すると、必要以上に帯状体２１がエッジに掛ってしまうため、締め付け具合を簡便に調整することができない。このため、上記のとおりエッジのない第一円環部２３Ａ及び第二円環部２３Ｂを用いてバックル部２３を構成し、適正な摩擦力の付与は、第一円環部２３Ａ及び第二円環部２３Ｂの表面に微細な凹凸等を設けて行うことが好ましい。
【００３８】
また、第一円環部２３Ａの一方の面（腹部と当接する面）において、連結した帯状体２１を水平に配置した状態で、上方及び下方に例えばゴムテープ等の滑り止め部材（図示せず）を貼り付けてもよい。具体的には、第一円環部２３Ａと帯状体２１との接触面以外の領域に、腹部と当接させた際に摩擦力を発揮する滑り止め部材を貼り付けることで、身体に締め付けた丹田強化ベルトの不本意な位置変動を好適に抑制することができる。
【００３９】
なお、上述では本実施形態の一例として第一円環部２３Ａ及び第二円環部２３Ｂにより構成されたバックル部２３を説明したが、バックル部２３は帯状体２１を締め付けた状態で保持できる構造を備えていれば概ね機能を果たすことができるため、例えば一般的なベルト用のバックル部として知られている従来公知の構造を採用することもできる。
【００４０】
＜丹田強化ベルトの装着方法＞
次に、図６（ａ）及び（ｂ）と、図７（ａ）及び（ｂ）と、を用いて、本実施形態における丹田強化ベルト用背当部１を備えた丹田強化ベルトの装着方法について説明する。図６（ａ）及び（ｂ）は、丹田強化ベルトの装着手順を示す図であって、図６（ａ）は、本実施形態の丹田強化ベルト用背当部１と帯状態２１とを連結する状態を示す模式図であり、図６（ｂ）は、本実施形態の丹田強化ベルト用背当部１を背中に当接し、帯状態２１を腰部及び腹部に包囲する状態を示す模式図である。
また、図７（ａ）及び（ｂ）は、帯状態２１とバックル部２３とを連結して締め付ける手順を示す図であって、図７（ａ）は、締め付けの前半手順を示す模式図であり、図７（ｂ）は、締め付けの後半手順を示す模式図である。
【００４１】
図６（ａ）に示す様に、まず帯状態２１と本実施形態の丹田強化ベルト用背当部１とを連結し、丹田強化ベルトの使用準備を行う。着用者は、背当パット９を下方に向けた状態で本丹田強化ベルト用背当部１を卓上等に配置し、帯状体２１の端部補強具２５近傍を把持して該帯状体２１を貫通孔１１に挿通する。帯状体２１は綿素材で構成された布であるため、例え芯材を備えて構成したものであっても、帯状体２１の端部が歪んで貫通孔１１に挿通することは難しいが、硬質な端部補強具２５で当該端部を挟み込んで補強していることから、容易に帯状体２１を貫通孔２５に挿通することができる。
【００４２】
上記手順により、帯状体２１を本実施形態の丹田強化ベルト用背当部１が備える２つの貫通孔１１に挿通し、それぞれのガイド部３に通した後、該ガイド部３に沿って帯状体２１を移動させ、本丹田強化ベルト用背当部１が帯状体２１の長手方向の略中央近傍に位置させる。
【００４３】
続いて、図６（ｂ）に示す様に、着用者は本実施形態の丹田強化ベルト用背当部１を背中側に配置させつつ、帯状体２１の双方の端部（バックル部２３側及び端部補強具２５側）を左右の手でそれぞれ把持し、当該帯状体２１で腰部及び腹部を包囲する。より具体的には、本丹田強化ベルト用背当部１の背当パット９を身体側に対向させ、当該状態で帯状体２１に捩れの発生が無いことを確認し、帯状体２１の双方の端部を左右から腹部側に回して腰部及び腹部を包囲する。この時、帯状体２１に捩れが発生していると、腰部及び腹部を均一に締め付けて押圧することができず、丹田のトレーニング効果が低下してしまうため、慎重に確認することが望ましい。
【００４４】
次に、帯状体２１のバックル部２３と端部補強具２５側とを連結し、当該帯状体２１を腰部及び腹部に締め付けて、丹田強化ベルトを着用者に装着する。まず、図７（ａ）に示す様に、バックル部２３が備える第一円環部２３Ａと第二円環部２３Ｂとを重ね、環を腹部側Ｐ１に対向させて固定し、続いて帯状体２１の端部補強具２５側を腹部側Ｐ１から外部側Ｐ２に向かって第一円環部２３Ａ及び第二円環部２３Ｂの内側を挿通させる。更に帯状体２１の端部補強具２５側を外部側Ｐ２方向に引張り、帯状体２１の弛みを無くして当該帯状体２１及び本丹田強化ベルト用背当部１を身体に密着させる。
【００４５】
次に、図７（ｂ）に示すとおり、帯状体２１の端部補強具２５側を第一円環部２３Ａ及び第二円環部２３Ｂに連結して固定する。具体的には、前半手順で外部側Ｐ２に引っ張った帯状体２１の端部補強具２５側を腹部側Ｐ１に折り返し、第二円環部２３Ｂの外側から第一円環部２３Ａの内側に挿通させた後、更に端部補強具２５側を引っ張る。これにより、帯状体２１は第二円環部２３Ｂを覆いつつ第一円環部２３Ａに押圧され、第一円環部２３Ａの内周面と、第二円環部２３Ｂの内周面及び外周面と、折り返して重なった自身の接触部（帯状体２１）と、に摩擦力が発生し、帯状体２１の締付力が固定される。なお、帯状体２１と第一円環部２３Ａと第二円環部２３Ｂとの密着を緩和すれば、摩擦力が解除されて全体的な締付力の微調整を容易に行うことができる。
【００４６】
更に丹田強化に適切な装着位置及び装着角度を調整する。例えば、下腹部から背中に向けて斜めに加圧する場合、バックル部２３の位置を下方に降ろし、更に本実施形態の丹田強化ベルト用背当部１の位置を上方に上げる。これにより、帯状体２１が腹部側から背中側に向かって斜め上方の締付力を発揮することができ、本丹田強化ベルト用背当部１が備えた背当パット９により、不本意な位置変動を抑制して締付位置を維持することができる。      
【００４７】
即ち、本実施形態の丹田強化ベルト用背当部１の位置は丹田強化ベルトを装着した状態で上下左右に自在に位置変更を行うことができ、腹部に位置するバックル部２３との位置関係によって、丹田強化ベルトの装着角度及び装着幅等を任意に設定することができる。これにより、当該装着角度を上前腸骨棘と第５腰椎とを結ぶ線分の角度と略一致させることができる。
【００４８】
上記手順により、本実施形態における本実施形態の丹田強化ベルト用背当部１を備えた丹田強化ベルトの装着が完了する。綿素材で構成した帯状体２１により、丹田強化ベルトに柔軟性と強度とを両立させることができ、腹部への高い密着性と服圧とが印加された状態となっても破損することがない。更に、上述のとおり帯状体２１がバックル部２３及び本丹田強化ベルト用背当部１の位置（身体との当接位置）に応じて容易に変形することができるため、上前腸骨棘と第５腰椎とを結ぶ線分から助骨までの領域を略完全に包囲することができる。
【００４９】
３．丹田強化ベルト１の効果
次に、図８及び図９を用いて、本実施形態の丹田強化ベルト用背当部１を備えた丹田強化ベルトによる効果を説明する。図８は、丹田強化ベルトによる加圧受けた体幹側面視を示す断面図であって、図９は、丹田強化ベルトによる加圧に反発した体幹側面視を示す断面図である。
【００５０】
図８に示す様に、本実施形態の丹田強化ベルト用背当部１を備えた丹田強化ベルトを着用者の体形に合わせて適切な装着位置（上前腸骨棘と第５腰椎とを結ぶ線分から助骨までの領域を完全に覆う位置）及び適切な装着角度（上前腸骨棘と第５腰椎とを結ぶ線分の角度）に調節することで、上前腸骨棘と第５腰椎とを結ぶ線分から助骨までの領域を確実に包囲して装着する。これにより、腹部が押圧されて腹直筋が外側から身体側に加圧される。
【００５１】
当該状態で身体運動を行うことにより、図９に示す様に外側から身体側に加圧された腹直筋が当該加圧に対して抵抗し、身体側から外側に押し出す反発力が発生する。しかしながら、当該反発力による腹部の膨張は丹田強化ベルトによって抑制され、反発力が身体側に働くことで服圧が増加する。結果、椎間板がストレッチされ、当該ストレッチ効果によって腰椎間隔が適正となり、極めて効果的に腰痛が解消されると共に、大腰筋及び小腰筋等を強化して腹部の弛みや猫背を改善し、運動機能を好適に回復又は向上することができる。
【００５２】
以上、本発明の代表的な実施形態について説明したが、本発明はこれらのみに限定されるものではなく、種々の設計変更が可能であり、それら設計変更は全て本発明の技術的範囲に含まれる。
【符号の説明】
【００５３】
１      丹田強化ベルト用背当部
３      ガイド部
５      ベース部材
７      撓み部
９      背当パット
１１    貫通孔
２１    帯状体
２３    バックル部
２３Ａ  第一円環部
２３Ｂ  第二円環部
２５    端部補強具
１００  本体部
Ｌ１    長手方向
Ｌ２    短手方向
Ｈ１      短辺
Ｈ２      短辺
Ｗ１      長辺
Ｗ２      長辺
Ｐ１      腹部側
Ｐ２      外部側
【図１】
2018083013.tif 000003
【図２】
2018083013.tif 000004
【図３】
2018083013.tif 000005
【図４】
2018083013.tif 000006
【図５】
2018083013.tif 000007
【図６】
2018083013.tif 000008
【図７】
2018083013.tif 000009
【図８】
2018083013.tif 000010
【図９】
2018083013.tif 000011